(57)【特許請求の範囲】
【請求項１】
超音波を利用してレールを探傷しレール底部の腐食を検出する超音波レール探傷装置であって、レールの頂面に当接される送受信用振動子を備え、該送受信用振動子から屈折角１０°〜２５°の範囲にある縦波超音波をレール内へ入射し、レール底部の腐食部で散乱した超音波の一部を該送受信用振動子で受信することを特徴とする超音波レール探傷装置。
【請求項２】
前記送受信用振動子に対してレール前後方向に整列されレールに当接される受信用振動子をさらに備え、受信用振動子は前記送受信用振動子から放射され欠陥及びレール底面を反射してきた超音波を受信することを特徴とする請求項１記載の超音波レール探傷装置。
【請求項３】
レールの高さをｈとし、送受信用振動子からの縦波超音波の屈折角をθとしたときに、前記送受信用振動子のレールの幅方向と垂直な方向の大きさをｈ×ｓｉｎθとすることを特徴とする請求項２記載の超音波レール探傷装置。
【請求項４】
前記送受信用振動子と受信用振動子とは、それぞれ切換スイッチを介して同じ受信部に接続されることを特徴とする請求項２または３記載の超音波レール探傷装置。
【発明の詳細な説明】
【０００１】
【発明の属する技術分野】
本発明は、超音波を利用して、レールの底部腐食または腹部横裂を検出することができる超音波レール探傷装置に関する。
【０００２】
【従来の技術】
従来、鉄道レール等のレールの内部に存在する傷等の欠陥を超音波を利用して探傷する装置は、鉄道の保線現場で広く使用されている。レールの頂面である踏面からレール内に超音波を入射させて、内部の傷等からの反射エコーを検知することによって傷の存在を知ることができる。従来のレールの超音波探傷においては、図６に示すように、複数の超音波探触子を用いて様々な角度でレール１内に超音波を入射させて、レール１各部に発生する傷からの反射エコーを受信して、探傷している。代表的には、垂直探触子４０による超音波の屈折角が０°の縦波超音波、斜角探触子４２，４２による３５°〜４５°の横波超音波、斜角探触子４４，４４による７０°の横波超音波が利用されている。
【０００３】
図７に示すように、レール底部に発生する横裂１Ａについては、探触子からレール内へ入射した超音波が、コーナーで反射を繰り返して、結果として入射した方向に戻ってくることができるため、斜角探触子４２による３５°〜４５°の横波超音波を利用して感度良く検知することができる。
【０００４】
【発明が解決しようとする課題】
しかしながら、レール底部に発生する底部腐食については、必ずしも従来の探触子で十分な検知ができていない。これは、図８に示すように、レール底部の腐食１Ｂの場合、腐食１Ｂによる面の角度が寝ているために、探触子と異なる方向に反射してしまうこと、反射面が腐食１Ｂによる不規則な面のために散乱反射してしまい、受信信号が弱くなることなどから、十分な受信信号レベルが得られないことが理由として挙げられる。
【０００５】
また、垂直探触子４０による０°の縦波超音波を使用して、Ｂスコープを描く方法で底部腐食１Ｂを検知する方法も考えられるが、底面エコーのレベルが大きく、底部腐食１Ｂからの散乱反射が低いレベルであるため、受信増幅度を上げて画像を描かせ、さらに数ｍｍ程度のレール高さの違いを読み取らなければならず、装置が複雑になるという問題がある。
【０００６】
また、レール溶接部の腹部に発生する溶け込み不足の横裂のような欠陥１Ｃ（図９参照）については、面が平滑なために、入射させた超音波のほとんどの成分がレール底面方向に正反射してしまい、探触子の方向に戻ってくる成分が少ないので、ほとんど検知できないという問題がある。そのため、図９のように、２つの探触子（送信探触子４６と受信探触子４８）を利用して、手動で探触子を走査するタンデム探傷法が提案されて実施されている。しかしながら、この方法ではレールの頭部から底部までの全域を探傷するために、各探触子のレール前後方向の相対位置を移動させて、走査しなければならないので、レール上を走行しながら探傷する用途では、移動速度の制限がある等の問題がある。
【０００７】
また、探触子を走査しないで全域を探傷する方法として、広い開口面の探触子を使用する方法もあるが、探触子が大型化するため、コストが高くなるという問題がある。
【０００８】
本発明はかかる従来のレール探傷の持っている課題に鑑みなされたもので、第１の目的は、底部腐食を感度良く検出することができる超音波レール探傷装置を提供することである。
【０００９】
また、第２の目的は、タンデム探傷法を用いた超音波探傷装置において、送受信用振動子と受信用振動子との間の前後方向相対位置の調整の手間を低減することができる超音波レール探傷装置を提供することである。
【００１０】
また、第３の目的は、底部腐食と腹部横裂の両方を検出することができる超音波レール探傷装置を提供することである。
【００１１】
【課題を解決するための手段】
上記目的を達成するために請求項１記載の発明は、超音波を利用してレールを探傷しレール底部の腐食を検出する超音波レール探傷装置であって、レールの頂面に当接される送受信用振動子を備え、該送受信用振動子から屈折角１０°〜２５°の範囲にある縦波超音波をレール内へ入射し、レール底部の腐食で散乱した超音波の一部を該送受信用振動子で受信することを特徴とする。送受信用振動子からの縦波超音波の屈折角を１０°〜２５°の範囲にすることにより、底面エコーの影響を受けずに、レール底部の腐食で散乱された超音波を比較的良い感度で受信することができ、腐食の存在を知ることができる。
【００１４】
請求項２記載の発明は、前記送受信用振動子に対してレール前後方向に整列されレールに当接される受信用振動子をさらに備え、受信用振動子が前記送受信用振動子から放射され欠陥及びレール底面を反射してきた超音波を受信することを特徴とする。送受信用振動子から屈折角１０°〜２５°の縦波超音波が放射され、レール底部の腐食で散乱され戻ってきた縦波超音波を送受信用振動子で受信することにより、レール底部の腐食を検出することができる。また、レール内に欠陥があった場合に、送受信用振動子から放射された屈折角１０°〜２５°の縦波超音波が、レール内の欠陥で反射し、さらにレール底面で反射したものを受信用振動子で受信する、所謂タンデム探傷法を使用することにより、レール内部の欠陥を検出することができる。こうして、１つの送受信用振動子を共通に用いて、レール底部の腐食と、レール内部の横裂のような欠陥の両方を検出することができる。送受信用振動子から放射される縦波超音波の屈折角を１０°〜２５°の範囲にして、従来の横波超音波を使用した場合の屈折角よりも小さく設定することにより、送受信用振動子を大型化することなく、送受信用振動子から放射される超音波のレールの高さ方向の範囲を広げることができ、従って、送受信用振動子と受信用振動子との前後方向の相対位置の調整の手間を少なくして、レール内の欠陥の検出を行うことができる。
【００１５】
特に、請求項３記載の発明のように、レールの高さをｈとし、送受信用振動子からの縦波超音波の屈折角をθとしたときに、前記送受信用振動子のレールの幅方向と垂直な方向の大きさをｈ×ｓｉｎθとすることにより、送受信用振動子と受信用振動子との前後方向の相対位置を動かすことなく、送受信用振動子から送信される縦波超音波でレールの高さ方向全体のどこかにある欠陥を検出することができる。
【００１６】
また、請求項４記載の発明は、前記送受信用振動子と受信用振動子とは、それぞれ切換スイッチを介して同じ受信部に接続されることを特徴とする。切換スイッチを介して切り換えることで、同じ受信部を用いて、レール底部の腐食検出と、レール内部の欠陥検出とを切り換えることができる。
【００１７】
【発明の実施の形態】
以下、図面を用いて本発明の実施の形態を説明する。図１は、本発明の超音波レール探傷装置の実施形態を表す構成説明図、図２はレール探傷を行うときの状態を表す斜視図である。
【００１８】
この超音波レール探傷装置は、超音波パルスをレール１内に送信し、レール１の主に底部腐食１Ｂから反射されてくる反射エコーを受信する送受信用振動子１２と、送受信用振動子１２から送信された超音波パルスが主に腹部の欠陥１Ｃで反射して、レール底部で反射して戻ってくる反射エコーを受信する受信用振動子１４を有する超音波探触子１０を有している。この送受信用振動子１２と受信用振動子１４とは分割膜１６によって音響的に遮断されている。また、送受信用振動子１２の前面には、振動子１２で発生する超音波パルスを規定の入射角でレール１に入射させるための樹脂製シュー１８が設けられ、受信用振動子１４の前面には、レール１から入射された超音波を受信用振動子１４へと送るシュー１９が設けられる。超音波探触子１０には、送受信用振動子１２から超音波パルスを送出するための電気パルスを発生する送信部２０と、送受信用振動子１２で受信される信号を受信して増幅する受信部２２と、受信用振動子１４で受信される信号を受信して増幅する受信部２４と、が接続されている。また、受信部２２及び受信部２４には、それぞれ検知表示部２６，２８が接続されている。検知表示部２６，２８は、受信部２２，２４で所定閾値よりも大きな受信信号を受信した場合に、受信エコーがあったことを示すために表示するもので、ランプ等によって構成され、ランプの点灯により受信エコーがあったことが表示される。
【００１９】
送受信用振動子１２から発射された超音波パルスはシュー１８を経由してレール１に対して規定の角度を持って入射する。この規定の角度は、スネルの法則に従ってレール１内で１０°〜２５°の範囲内の屈折角θの縦波超音波、好ましくは１５°〜２０°の屈折角θの縦波超音波が発生するように選択される。
【００２０】
図１に示すように、送受信用振動子１２の略前後方向の大きさＬ、即ち、レールの幅方向と垂直な方向の大きさＬは、レールの高さをｈとしたときに、
【００２１】
【数１】
Ｌ＝ｈ×ｓｉｎθ                （１）
を満足するように設定されている。また、送受信用振動子１２と受信用振動子１４の間の間隔Ｐは、概ね、
【００２２】
【数２】
Ｐ＝ｈ×ｔａｎθ                （２）
を満足するように設定されている。但し、送受信用振動子１２と受信用振動子１４との間隔Ｐは、これに限るものではなく、送受信用振動子１２から発射されレール１の腹部の欠陥で反射して、レール底部で反射して戻ってくる超音波を受信することができるような範囲に受信用振動子１４を配置する。
【００２３】
以上のように構成される超音波レール探傷装置において、送受信用振動子１２から発射された超音波パルスは、屈折角θでレール１内へと入射される。レール１底部に腐食１Ｂや溶け込み不足による欠陥１Ｃがない場合には、超音波パルスはレール１底面で反射して、前方へ反射してしまい送受信用振動子１２に戻ってくることはない。
【００２４】
これに対してレール１に底部腐食１Ｂがある場合には、図３に示すように、超音波は腐食部１Ｂで散乱反射して、一部の超音波が送受信用振動子１２に戻ってくる。この反射エコーは、送受信用振動子１２で電気信号に変換され、受信部２２で増幅され、検知表示部２６で表示が行われる。この表示からレール１に底部腐食１Ｂが存在することを知ることができる。屈折角θが１０°〜２５°、好ましくは１５°〜２０°となっており、比較的小さい角度となっているため、底部腐食１Ｂに対して散乱反射が送受信用振動子１２に戻ってきやすい構成となっている。その一方で、垂直探触子の場合と異なり、屈折角θが０°より大きいため、底面エコーの影響を大幅に低減することができる。
【００２５】
図１０及び図１１は、屈折角θと底部腐食検出性能との関係を求めた実験例である。複数の屈折角を実現するために、アクリル製のシュー１８を製作し、送受信用振動子と組み合わせて、底部腐食の検知性能を評価した。評価は、複数の屈折角について、底部腐食からのエコーレベルと、底部腐食のない健全レールの底面からのエコーレベルを測定し、ＳＮ比を比較することにより行った。実験に用いた部品を、次表に示す。
【００２６】
【表１】
0004527238.tif 000002
測定方法は、まず図１０（ａ）に示すように、φ５の横穴のエコーレベルにより基準化を行い、図１０（ｂ）の健全レールの底部のエコーレベル測定を行い、図１０（ｃ）の腐食レールのエコーレベル測定を行い、それぞれの屈折角におけるＳＮ比を比較した。その測定結果を次表及び図１１に示す。
【００２７】
【表２】
0004527238.tif 000003
上記測定結果から分かるように、屈折角１０°〜２５°の角度でＳＮ比が良く、特に１５°では感度も良い。このような屈折角の範囲となるように、送受信用振動子１２の屈折角を設定すると効果的である。
【００２８】
次に、図４に示すように、レール１の溶接部等に発生する可能性の高い溶け込み不足のような垂直な平面の横裂１Ｃがある場合、送受信用振動子１２から送出された超音波パルスは、この横裂１Ｃで反射して、さらにレール１底面で反射し、受信用振動子１４で受信される。この信号は受信部２４で増幅され、検知表示部２８で表示が行われる。この表示からレール１の腹部に横裂が存在することを検知することができる。送受信用振動子１２が（１）式を満足することにより、横裂１Ｃがレール１の高さのどの位置にあったとしても、送受信用振動子１２から放射される超音波は、レール１高さ全体をカバーし、必ず、超音波パルスはその横裂１Ｃで反射される。受信用振動子１４が（２）式を満足することにより、反射された超音波パルスは底面で反射し、確実に受信用振動子１４で受信される。この横裂１Ｃを検出する場合、屈折角θは、必ずしも１０°〜２５°となっている必要がなく、それ以外の角度であっても検出することができるが、あまり屈折角が大きいとＬが大きくなり、超音波探触子１０が大型化する。しかしながら、上記角度範囲の屈折角とすることにより、超音波探触子１０の大型化を回避することができる。
【００２９】
図５は、本発明の第２の実施形態を表す図である。図において、第１実施形態と同一の部材は同一の符号を付して、その詳細説明を省略する。
【００３０】
この実施形態では、第１実施形態の受信部２４及び検知表示部２８を省略し、その代わりに、切換スイッチ３０が受信部２２と、送受信用振動子１２及び受信用振動子１４との間に設けられている点で異なっており、受信部２２が選択的に送受信用振動子１２または受信用振動子１４と接続できるようになっている。
【００３１】
切換スイッチ３０を切り換えることで、同じ受信部２２及び検知表示部２６を用いて、目的に応じて底部腐食１Ｂ検知と、横裂１Ｃ検知とを切り換えることができる。
【００３２】
以上の各実施形態では、１つの送受信用振動子１２で底部腐食１Ｂ検知と横裂１Ｃ検知とを行っているため、振動子の数を低減でき、探傷車両等の床下スペースが少なくてすむようになる。
【００３３】
【発明の効果】
以上説明したように、請求項１記載の発明によれば、送受信用振動子からの縦波超音波の屈折角を１０°〜２５°の範囲にすることにより、底面エコーの影響を受けずに、レール底部の腐食で散乱された超音波を比較的良い感度で受信することができ、腐食の存在を検出することができる。
【００３６】
請求項２記載の発明によれば、１つの送受信用振動子を共通に用いて、レール底部の腐食と、レール内部の横裂のような欠陥の両方を検出することができる。送受信用振動子から放射される縦波超音波の屈折角を１０°〜２５°の範囲にして、従来の横波超音波を使用した場合の屈折角よりも小さく設定することにより、送受信用振動子を大型化することなく、送受信用振動子から放射される超音波のレールの高さ方向の範囲を広げることができ、従って、送受信用振動子と受信用振動子との前後方向の相対位置を動かすことなく、レール内の欠陥の検出を行うことができる。
【００３７】
請求項３記載の発明によれば、送受信用振動子と受信用振動子との前後方向の相対位置を動かすことなく、送受信用振動子から送信される縦波超音波でレールの高さ方向全体のどこかにある欠陥を検出することができる。
【００３８】
請求項４記載の発明によれば、同じ受信部を用いて、レール底部の腐食検出と、レール内部の欠陥検出とを切り換えることができる。
【図面の簡単な説明】
【図１】本発明の超音波レール探傷装置の実施形態を表す構成図である。
【図２】図１の超音波レール探傷装置の斜視図である。
【図３】図１の超音波レール探傷装置のレール底部の腐食検出の原理を表す説明図である。
【図４】図１の超音波レール探傷装置の腹部横裂検出の原理を表す説明図である。
【図５】本発明の超音波レール探傷装置の第２の実施形態を表すブロック図である。
【図６】従来の超音波レール探傷装置を表す構成図である。
【図７】レール底部に発生する横裂に対する超音波の反射を表す説明図である。
【図８】レール底部の腐食に対する超音波の反射を表す説明図である。
【図９】従来のタンデム探傷法による超音波レール探傷装置の構成図である。
【図１０】（ａ）〜（ｃ）は屈折角と底部腐食検出性能との関係を求めるための実験例を表す説明図である。
【図１１】図１０の実験結果を表すグラフである。
【符号の説明】
１  レール
１Ｂ  底部の腐食
１Ｃ  腹部横裂
１２  送受信用振動子
１４  受信用振動子
２２  受信部
３０  切換スイッチ
【図１】
0004527238.tif 000004
【図２】
0004527238.tif 000005
【図３】
0004527238.tif 000006
【図４】
0004527238.tif 000007
【図５】
0004527238.tif 000008
【図６】
0004527238.tif 000009
【図７】
0004527238.tif 000010
【図８】
0004527238.tif 000011
【図９】
0004527238.tif 000012
【図１０】
0004527238.tif 000013
【図１１】
0004527238.tif 000014